(57)【要約】【課題】空調装置の稼働状況を把握するための情報を収集する車両用空調装置の情報収集装置を提供する。【解決手段】入力コネクタ７からの各入力信号に基づいて所定時間毎にデータ収集を行い、収集データに基づいて各入力信号に対応した度数分布データを単位時間毎に作成し、作成された度数分布データをメモリ９に書き込むようにしているので、空調装置の稼働状況、即ち、空調装置が何時どの様な条件下でどの様にして使用されているか等を把握するための情報を的確に収集することができる。また、メモリ９には単位時間当たりの収集データに基づいて作成された度数分布データを書き込むようにしているので、データ収集の度に収集データをメモリ９に書き込む場合に比べて同じ容量のメモリ９に対して長期間のデータを書き込むことができるし、度数分布に基づいてその後のデータ解析を容易に行うことができる。【選択図】  図１
2004291779.tif 000002
【特許請求の範囲】
【請求項１】
空調装置の稼働状況を把握するために必要な信号を伝える複数の信号線が接続可能な信号入力手段と、
信号入力手段からの各入力信号に基づいて所定時間毎にデータの収集を行うデータ収集手段と、
収集データに基づいて各入力信号に対応した度数分布データを単位時間毎に作成する度数分布データ作成手段と、
度数分布データ記録用のメモリと、
作成された度数分布データをメモリに書き込む度数分布データ書込手段とを備える、
ことを特徴とする車両用空調装置の情報収集装置。
【請求項２】
データ受信装置からのケーブルが接続可能なデータ出力手段と、
データ送信指令に基づいてメモリに記憶されている度数分布データをデータ出力手段に送出するデータ送出手段とを備える、
ことを特徴とする請求項１に記載の車両用空調装置の情報収集装置。
【発明の詳細な説明】
【０００１】
【発明の属する技術分野】
本発明は、車両に搭載された空調装置の稼働状況を把握するための情報を収集する情報収集装置に関する。
【０００２】
【従来の技術】
自動車等の車両に搭載される空調装置は、圧縮機，室外熱交換器，膨張手段，室内熱交換器を含む冷凍ユニットとそのコントロールユニットから構成されており、基本的には居室等の空調対象空間が設定温度に維持されるように圧縮機の動作をコントロールユニットによって制御している。空調装置の運転に必要な情報は冷凍ユニット構成機器等に設けた複数のセンサから得ており、各センサを通じて得た情報はコントロールユニットに取り込まれ圧縮機の動作制御等に利用されている。
【０００３】
【特許文献１】
特開２００２−２４８９３６号公報
【０００４】
【発明が解決しようとする課題】
前記空調装置において各センサを通じて得られる情報には内気温度や外気温度等が含まれているが、これらは何れも空調装置の運転に必要な情報であって、空調装置の稼働状況、即ち、空調装置が何時どの様な条件下でどの様にして使用されているか等を把握するための情報ではない。
【０００５】
自動車等の車両に搭載された空調装置は車両の種類や走行環境や走行目的等によって様々な稼働のされ方をするため、空調装置の評価及び改善を行うには空調装置の稼働状況を把握する必要がある。
【０００６】
本発明は前記事情に鑑みて創作されたもので、その目的とするところは、空調装置の稼働状況を把握するための情報を収集する車両用空調装置の情報収集装置を提供することにある。
【０００７】
【課題を解決するための手段】
前記目的を達成するため、本発明の車両用空調装置の情報収集装置は、空調装置の稼働状況を把握するために必要な信号を伝える複数の信号線が接続可能な信号入力手段と、信号入力手段からの各入力信号に基づいて所定時間毎にデータの収集を行うデータ収集手段と、収集データに基づいて各入力信号に対応した度数分布データを単位時間毎に作成する度数分布データ作成手段と、度数分布データ記録用のメモリと、作成された度数分布データをメモリに書き込む度数分布データ書込手段とを備える、ことをその特徴とする。
【０００８】
この情報収集装置によれば、信号入力手段からの各入力信号に基づいて所定時間毎にデータ収集を行い、収集データに基づいて各入力信号に対応した度数分布データを単位時間毎に作成し、作成された度数分布データをメモリに書き込むようにしているので、空調装置の稼働状況、即ち、空調装置が何時どの様な条件下でどの様にして使用されているか等を把握するための情報を的確に収集することができる。また、メモリには単位時間当たりの収集データに基づいて作成された度数分布データを書き込むようにしているので、データ収集の度に収集データをメモリに書き込む場合に比べて同じ容量のメモリに対して長期間のデータを書き込むことができるし、度数分布に基づいてその後のデータ解析を容易に行うことができる。
【０００９】
本発明の前記目的とそれ以外の目的と、構成特徴と、作用効果は、以下の説明と添付図面によって明らかとなる。
【００１０】
【発明の実施の形態】
図１は本発明の一実施形態を示すもので、図１中の符号１は自動車用情報収集装置のユニットケース、２はマイクロコンピュータ構成の制御部、３は時計用クロック信号生成部、４は複数の操作キーを有するキースイッチ、５は液晶ディスプレイ、６は入力コネクタ、７は出力コネクタ、８はマイクロプロセッサから成る度数分布データ作成部、９はＳＲＡＭから成るメモリである。
【００１１】
ユニットケース１は扁平直方体形状を成し、上面にはキースイッチ４及び液晶ディスプレイ５が配置されている。また、ユニットケース１の側面には、外部からの信号線またはケーブルの接続及び取り外しが可能なように入力コネクタ６と出力コネクタ７が配置されている。出力コネクタ７はパソコン等のデータ受信装置（図示省略）にデータ送信を行うものであるためＲＳ２３２ＣやＵＳＢ等の規格に準じたものが使用されている。
【００１２】
時計用クロック信号生成部３は時計用クロック信号を制御部２に送出し、制御部２はこのクロック信号を入力し日付及び時刻データとして使用する。このクロック信号生成部３は所定周波数のクロック信号を出力する回路の他に、ＪＪＹから発信される標準周波数を受信して出力する回路等が利用できる。
【００１３】
度数分布データ作成部８は制御部２から入力される単位時間分の収集データから各信号に対応した度数分布データを作成する。度数分布データ作成部８で作成された度数分布データは制御部２を経由してメモリ９に書き込まれる。メモリ９は前記の度数分布データを記憶する役割を果たすもので、このメモリ９は電池等により電源バックアップされており装置への電源入力が断たれてもその記憶内容は残るようになっている。
【００１４】
図示を省略したが、前記ユニットケース１には、直流電源入力端子と、直流電圧を変圧して制御部２やクロック信号生成部３や度数分布データ作成部８等に供給する電源回路が設けられている。
【００１５】
また、図１中の符号１１は圧縮機の吸入圧力センサ、１２は圧縮機の吐出圧力センサ、１３は圧縮機の吸入温度センサ、１４は圧縮機の吐出温度センサ、１５は外気温度センサ、１６は内気温度センサ、１７はアキュムレータ温度センサ、１８はエンジンルーム温度センサ、１９は圧縮機温度センサ、２０は凝縮器温度センサ、２１〜３０は各センサ１１〜２０の信号線、２１は車速度信号を伝える信号線、２２はエンジン回転数信号を伝える信号線、２３は圧縮機オンオフ信号を伝える信号線であり、各センサ１３〜２０は周知の温度センサや圧力センサから成る。
【００１６】
自動車に搭載された空調装置の稼働状況を把握するための情報を得るときには、前記のユニットケース１を自動車の車室内に配置し、直流電源入力端子に自動車のＩＧＮ電源を接続すると共に、入力コネクタ６に各信号線２１〜３３を接続する。
【００１７】
因みに、吸入圧力センサ１１は圧縮機の吸入口に配置され、吐出圧力センサ１２は圧縮機の吸入口に配置され、吸入温度センサ１３は圧縮機の吸入口に配置され、吐出温度センサ１４は圧縮機の吐出口に配置される。また、外気温度センサ１５はエンジンルームを除く位置で外気が触れる箇所に配置され、内気温度センサ１６は車室内に配置される。さらに、アキュムレータ温度センサ１７はアキュムレータの表面に配置され、エンジンルーム温度センサ１８はエンジンルーム内に配置され、圧縮機温度センサ１９は圧縮機の表面に配置され、凝縮器温度センサ２０は凝縮器の表面に配置される。さらに、車速度信号とエンジン回転数信号は自動車の速度計と回転数計への信号線から得ることができ、圧縮機オンオフ信号は空調装置のコントロールユニットの制御信号線から得ることができる。
【００１８】
以下に、前述の装置に依る情報収集方法について図２のフローチャートを参照して説明する。
【００１９】
前記装置は電源として自動車のＩＧＮ電源を使用している関係から、情報収集に係るプログラムはＩＧＮ電源のスイッチがオンになったときにスタートする。
【００２０】
スタート後は、まず、液晶ディスプレイ５等のハードウエアのテストを行い、テストによりエラーが検出された場合にはブザーやＬＥＤ等により異常の報知を行う（ステップＳ１〜Ｓ３）。
【００２１】
液晶ディスプレイ５等のハードウエアのテストにエラーが検出されなかったときには、ステップＳ９でＩＧＮ電源のスイッチがオフになるまでデータ収集のルーチンに入る。
【００２２】
このデータ収集のルーチンは、基本的にはデータの収集（ステップＳ６）と収集データの記憶（ステップＳ７）を所定時間毎、例えば１秒毎に行うものであるが、その過程ではキースイッチ４の入力有無（ステップＳ４）と電源異常の有無（ステップＳ５）のチェックを併せて行う。
【００２３】
前記ステップＳ６におけるデータの収集は、各信号線２１〜３３から入力コネクタ７を通じて入力される各信号を必要に応じて制御部２でＡ／Ｄ変換することによって行い、また、前記ステップＳ７における収集データの記憶は、収集データをその日時データと一緒に制御部２のＲＡＭに記憶させることによって行う。
【００２４】
制御部２のＲＡＭにはデータ収集の度に収集データが繰り返し記憶されるが、ここでは記憶された収集データが単位時間分、例えば２４時間分（１日分）になったか否かを判断し（ステップＳ８）、単位時間分になったときにはそのデータを度数分布データ作成部８に入力する。
【００２５】
度数分布データ作成部８は入力された単位時間分の収集データから図３に概念的に示すような度数分布データを各入力信号に対応して作成する（ステップＳ１０）。例えば、前記の単位時間が２４時間（１日）でデータ収集が１秒毎に繰り返された場合には、１つの入力信号当たりの全度数は８６４００となるので、これを入力信号に応じて設定した複数の階級（図３では１０階級）に分類することで所定日付（Ｘ年Ｙ月Ｚ日）の度数分布データを得る。因みに、図示装置では入力信号数が１３であるため、１日毎に各入力信号に対応した１３の度数分布データが作成されることになる。
【００２６】
以上のようにして作成された度数分布データは制御部２を経由してメモリ９に書き込まれる（ステップＳ１１）。メモリ９への度数分布データの書き込みが完了した後は再び先に述べたデータ収集のルーチンに戻る。
【００２７】
データ収集を繰り返し行う途中でキースイッチ４の入力があったときにはキースイッチ４で選択された処理をその段階で実行する（ステップＳ４，Ｓ１２）。例えば、キースイッチ４で「今回の収集データの表示」が選択された場合には、キースイッチ４が操作された時点での収集データを液晶ディスプレイ５に表示する。また、キースイッチ４で「メモリの記憶データを外部に送信」が選択された場合には、キースイッチ４が操作された時点でメモリ９に記憶されている度数分布データの全てを制御部２を経由して出力コネクタ７に送出する。依って、出力コネクタ７にパソコン等のデータ受信装置をケーブルを介して接続しておけば、度数分布データをデータ信装置に取り込むことができる。キースイッチ４で選択された処理が完了した後は再び先に述べたデータ収集のルーチンに戻る。
【００２８】
また、データ収集を繰り返し行う途中で電源電圧に異常を生じたときにはブザーやＬＥＤ等により異常の報知を行い、電源が復旧するまで待機する処置を行う（ステップＳ５，Ｓ１３，Ｓ１４）。点検や修理等によって電源が復旧した後は再び先に述べたデータ収集のルーチンに戻る。
【００２９】
このように前述の情報収集装置によれば、入力コネクタ７からの各入力信号に基づいて所定時間毎にデータ収集を行い、収集データに基づいて各入力信号に対応した度数分布データを単位時間毎に作成し、作成された度数分布データをメモリ９に書き込むようにしているので、空調装置の稼働状況、即ち、空調装置が何時どの様な条件下でどの様にして使用されているか等を把握するための情報を的確に収集することができる。
【００３０】
また、メモリ９には単位時間当たりの収集データに基づいて作成された度数分布データを書き込むようにしているので、データ収集の度に収集データをメモリ９に書き込む場合に比べて同じ容量のメモリ９に対して長期間のデータを書き込むことができるし、度数分布に基づいてその後のデータ解析を容易に行うことができる。
【００３１】
さらに、キースイッチ４によるデータ送信指令に基づいてメモリ９に記憶されている度数分布データを出力コネクタ８に送出するようにしているので、出力コネクタ８にパソコン等のデータ受信装置をケーブルを介して接続しておけば度数分布データを任意にデータ受信装置に取り込むことができる。
【００３２】
【発明の効果】
以上詳述したように、本発明によれば、信号入力手段からの各入力信号に基づいて所定時間毎にデータ収集を行い、収集データに基づいて各入力信号に対応した度数分布データを単位時間毎に作成し、作成された度数分布データをメモリに書き込むようにしているので、空調装置の稼働状況、即ち、空調装置が何時どの様な条件下でどの様にして使用されているか等を把握するための情報を的確に収集することができる。また、メモリには単位時間当たりの収集データに基づいて作成された度数分布データを書き込むようにしているので、データ収集の度に収集データをメモリに書き込む場合に比べて同じ容量のメモリに対して長期間のデータを書き込むことができるし、度数分布に基づいてその後のデータ解析を容易に行うことができる。
【図面の簡単な説明】
【図１】図１は本発明の一実施形態を示す自動車用情報収集装置の構成図
【図２】図１に示した装置に依る情報収集に係るフローチャート
【図３】図２に示した度数分布データの概念図
【符号の説明】
１…ユニットケース、２…制御部、３…クロック信号生成部、４…キースイッチ、５…液晶ディスプレイ、６…入力コネクタ、７…出力コネクタ、８…度数分布作成部、９…メモリ、１１〜２０…センサ、２１〜３３…信号線。
【図１】
2004291779.tif 000003
【図２】
2004291779.tif 000004
【図３】
2004291779.tif 000005